【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
第１の増幅器と第２の増幅器とを含む伝送経路と、
前記第１の増幅器と前記第２の増幅器との間に結合され、第１のモードでは前記第１の増幅器を前記第２の増幅器に直列にダブルエンドに結合するように、第２のモードでは前記第１の増幅器を変圧器の少なくとも一部を通して前記第２の増幅器をバイパスするようにシングルエンドに結合するように、切り替え可能に構成された、変圧器と、
を備える増幅器モジュール。
【請求項２】
第３のモードで動作するための第３の増幅器を含んでいる別の伝送経路をさらに備える、請求項１に記載の増幅器モジュール。
【請求項３】
前記伝送経路または前記別の伝送経路のいずれかを第１の帯域ポートおよび第２の帯域ポートの１つに結合するための第１のスイッチと、
前記伝送経路または前記別の伝送経路のいずれかを第３の帯域ポートおよび第４の帯域ポートの１つに結合するための第２のスイッチと、
をさらに備える、請求項２に記載の増幅器モジュール。
【請求項４】
前記第１のモードが高電力モードを備え、前記第２のモードが中電力モードを備え、前記第３のモードが低電力モードを備える、請求項２に記載の増幅器モジュール。
【請求項５】
前記伝送経路が、
シングルエンドの入力信号を受け取り、ダブルエンドの出力信号を前記第１の増幅器に伝達するための第２の変圧器
を含んでいる、請求項１に記載の増幅器モジュール。
【請求項６】
前記第２の増幅器から伝達されるダブルエンドの入力信号を受け取り、シングルエンドの信号を出力に伝達するための第３の変圧器をさらに含む、請求項５に記載の増幅器モジュール。
【請求項７】
前記変圧器が、出力信号を受け取るためのものであり、前記第１のモードで前記第２の増幅器にダブルエンドの信号を伝達するか、または前記第２のモードで前記第２の増幅器をバイパスするようにシングルエンドの信号を伝達するように、切り替え可能に構成されている、請求項１に記載の増幅器モジュール。
【請求項８】
前記第１のモードが高電力モードを備え、前記第２のモードが中電力モードを備える、請求項１に記載の増幅器モジュール。
【請求項９】
前記第１の増幅器または前記第２の増幅器のうちのいずれかの増幅器の出力に結合され、第１の帯域または第２の帯域のいずれかを選択するための第１のスイッチと、前記第１の増幅器または前記第２の増幅器のうちのいずれかの増幅器の出力に結合され、第３の帯域または第４の帯域のいずれかを選択するための第２の異なるスイッチと、をさらに備える、請求項１に記載の増幅器モジュール。
【請求項１０】
複数の動作モードのうちの各々１つにおいて変圧器の少なくとも一部を通して少なくとも１つの増幅器によって信号を増幅することと、前記変圧器は、第１の動作モードでは第１の増幅器を第２の増幅器に直列にダブルエンドに結合し、前記変圧器は、第２の動作モードでは前記第１の増幅器を前記変圧器の少なくとも一部を通して前記第２の増幅器をバイパスするようにシングルエンドに結合し、
第１の複数の帯域ポートのうちの１つが選択されている場合に、前記増幅された信号を第１の出力経路に伝達することと、
第２の複数の帯域ポートのうちの１つが選択されている場合に、前記増幅された信号を第２の出力経路に伝達することと、
を備える方法。
【請求項１１】
前記増幅することが、
前記第１の動作モードにおいて前記信号を前記第１の増幅器および前記第２の増幅器によって増幅することと、
前記第２の動作モードにおいて前記信号を前記第１の増幅器によって増幅することと、
第３の動作モードにおいて前記信号を第３の増幅器によって増幅することと、
を備える、請求項１０に記載の方法。
【請求項１２】
前記第１の動作モードにおいて前記第１の増幅器から出力される信号を前記第２の増幅器に伝達するように前記変圧器を切り替え可能に構成することをさらに備える、請求項１１に記載の方法。
【請求項１３】
前記第２の動作モードにおいて前記第１の増幅器から出力される信号を前記第１の出力経路および前記第２の出力経路の１つに伝達するように前記変圧器を切り替え可能に構成することをさらに備える、請求項１１に記載の方法。
【請求項１４】
前記増幅することが、高電力モード、中電力モード、および低電力モードのうちの１つにて前記信号を増幅することを備える、請求項１０に記載の方法。
【請求項１５】
前記増幅することが、
前記変圧器において、シングルエンドの信号をダブルエンドの信号に変換することと、
別の変圧器において、増幅されたダブルエンドの信号をシングルエンドの信号に変換することと、
を備える、請求項１０に記載の方法。
【請求項１６】
選択された帯域に基づいて複数のスイッチのうちの１つを介して前記信号を出力することをさらに備える、請求項１０に記載の方法。
【請求項１７】
前記出力することが、第１の帯域および第２の帯域の１つが選択される場合に第１のスイッチを介して前記信号を出力することと、第３の帯域および第４の帯域の１つが選択される場合に第２のスイッチを介して前記信号を出力することと、のうちの１つを備える、請求項１６に記載の方法。
【請求項１８】
高電力モードにおいてドライバ増幅器の出力から電力増幅器の入力へのインピーダンス整合を提供することをさらに備える、請求項１０に記載の方法。
【請求項１９】
前記少なくとも１つの増幅器についてステージ間の整合および出力の整合の少なくとも１つを提供するためにキャパシタを調節する、請求項１０に記載の方法。
【請求項２０】
複数の動作モードのうちの各々において変圧器の少なくとも一部を通して少なくとも１つの増幅器によって信号を増幅するための手段と、前記変圧器は、第１の動作モードでは第１の増幅器を第２の増幅器に直列にダブルエンドに結合し、前記変圧器は、第２の動作モードでは前記第１の増幅器を前記変圧器の少なくとも一部を通して前記第２の増幅器をバイパスするようにシングルエンドに結合し、
第１の複数の帯域ポートのうちの１つが選択されている場合に、前記増幅された信号を第１の出力経路に伝達するための手段と、
第２の複数の帯域ポートのうちの１つが選択されている場合に、前記増幅された信号を第２の出力経路に伝達するための手段と、
を備えるデバイス。
【手続補正２】
【補正対象書類名】明細書
【補正対象項目名】００４２
【補正方法】変更
【補正の内容】
【００４２】
［0050]開示の典型的な実施形態についての以上の説明は、本発明の製作および使用を当業者にとって可能にするように提示されている。これらの典型的な実施形態の種々の変更が、当業者にとって容易に明らかであり、本明細書に定められる全体的な原理は、本発明の趣旨および範囲から逸脱することなく他の実施形態にも適用され得る。したがって、本発明は、本明細書に示した典型的な実施形態に限られるものではなく、本明細書に開示の原理および新規な特徴に矛盾しない最大限の範囲が与えられるべきである。
以下に、本願出願の当初の特許請求の範囲に記載された発明を付記する。
［Ｃ１］第１の増幅器と第２の増幅器とを含む伝送経路と、
前記第１の増幅器と前記第２の増幅器との間に結合され、第１のモードでは前記第１の増幅器を前記第２の増幅器に直列に結合するために、第２のモードでは前記第１の増幅器を前記第２の増幅器をバイパスするように結合するために、切り替え可能に構成された、変圧器と、
を備える装置。
［Ｃ２］第３のモードで動作するための第３の増幅器を含んでいる別の伝送経路をさらに備える、Ｃ１に記載の装置。
［Ｃ３］前記伝送経路または前記別の伝送経路のいずれかを第１の帯域ポートおよび第２の帯域ポートの１つに結合するための第１のスイッチと、
前記伝送経路または前記別の伝送経路のいずれかを第３の帯域ポートおよび第４の帯域ポートの１つに結合するための第２のスイッチと、
をさらに備える、Ｃ２に記載の装置。
［Ｃ４］前記第１のモードが高電力モードを備え、前記第２のモードが中電力モードを備え、前記第３のモードが低電力モードを備える、Ｃ２に記載の装置。
［Ｃ５］前記伝送経路が、
シングルエンドの入力信号を受け取り、ダブルエンドの出力信号を前記第１の増幅器に伝達するための第２の変圧器
を含んでいる、Ｃ１に記載の装置。
［Ｃ６］前記第２の増幅器から伝達されるダブルエンドの入力信号を受け取り、シングルエンドの信号を出力に伝達するための第３の変圧器をさらに含む、Ｃ５に記載の装置。
［Ｃ７］前記変圧器が、出力信号を受け取るためのものであり、前記第１のモードで前記第２の増幅器にダブルエンドの信号を伝達するか、または前記第２のモードで前記第２の増幅器をバイパスするようにシングルエンドの信号を伝達するために、切り替え可能に構成されている、Ｃ１に記載の装置。
［Ｃ８］前記第１のモードが高電力モードを備え、前記第２のモードが中電力モードを備える、Ｃ１に記載の装置。
［Ｃ９］前記第１の増幅器または前記第２の増幅器のうちのいずれかの増幅器の出力に結合され、第１の帯域または第２の帯域のいずれかを選択するための第１のスイッチと、前記第１の増幅器または前記第２の増幅器のうちのいずれかの増幅器の出力に結合され、第３の帯域または第４の帯域のいずれかを選択するための第２の異なるスイッチと、をさらに備える、Ｃ１に記載の装置。
［Ｃ１０］複数の動作モードのうちの１つにおいて少なくとも１つの増幅器によって信号を増幅することと、
第１の複数の帯域ポートのうちの１つが選択されている場合に、前記増幅された信号を第１の出力経路に伝達することと、
第２の複数の帯域ポートのうちの１つが選択されている場合に、前記増幅された信号を第２の出力経路に伝達することと、
を備える方法。
［Ｃ１１］前記増幅することが、
第１の動作モードにおいて前記信号を第１の増幅器および第２の増幅器によって増幅することと、
第２の動作モードにおいて前記信号を前記第１の増幅器によって増幅することと、
第３の動作モードにおいて前記信号を第３の増幅器によって増幅することと、
を備える、Ｃ１０に記載の方法。
［Ｃ１２］前記第１の動作モードにおいて前記第１の増幅器から出力される信号を前記第２の増幅器に伝達するように変圧器を切り替え可能に構成することをさらに備える、Ｃ１１に記載の方法。
［Ｃ１３］前記第２の動作モードにおいて前記第１の増幅器から出力される信号を前記第１の出力経路および前記第２の出力経路の１つに伝達するように変圧器を切り替え可能に構成することをさらに備える、Ｃ１１に記載の方法。
［Ｃ１４］前記増幅することが、高電力モード、中電力モード、および低電力モードのうちの１つにて前記信号を増幅することを備える、Ｃ１０に記載の方法。
［Ｃ１５］前記増幅することが、
変圧器において、シングルエンドの信号をダブルエンドの信号に変換することと、
別の変圧器において、増幅されたダブルエンドの信号をシングルエンドの信号に変換することと、
を備える、Ｃ１０に記載の方法。
［Ｃ１６］選択された帯域に基づいて複数のスイッチのうちの１つを介して前記信号を出力することをさらに備える、Ｃ１０に記載の方法。
［Ｃ１７］前記出力することが、第１の帯域および第２の帯域の１つが選択される場合に第１のスイッチを介して前記信号を出力することと、第３の帯域および第４の帯域の１つが選択される場合に第２のスイッチを介して前記信号を出力することと、のうちの１つを備える、Ｃ１６に記載の方法。
［Ｃ１８］高電力モードにおいてドライバ増幅器の出力から電力増幅器の入力へのインピーダンス整合を提供することをさらに備える、Ｃ１０に記載の方法。
［Ｃ１９］前記少なくとも１つの増幅器についてステージ間の整合および出力の整合の少なくとも１つを提供するためにキャパシタを調節する、Ｃ１０に記載の方法。
［Ｃ２０］複数の動作モードのうちの１つにおいて少なくとも１つの増幅器によって信号を増幅するための手段と、
第１の複数の帯域ポートのうちの１つが選択されている場合に、前記増幅された信号を第１の出力経路に伝達するための手段と、
第２の複数の帯域ポートのうちの１つが選択されている場合に、前記増幅された信号を第２の出力経路に伝達するための手段と、
を備えるデバイス。